(57)【特許請求の範囲】
【請求項１】
楽音信号を音響変換する際のモード特性がそれぞれ異なる少なくとも２組の音響変換手段と、これらの音響変換手段のモード特性に応じて楽音信号を任意の位置に定位させるための演算を行い該楽音信号を処理する演算手段と、該演算手段から出力される楽音信号をいずれかの音響変換手段に振り分ける切替手段と、いずれの音響変換手段に音響変換させるかを選定する選定手段と、モード特性毎の演算処理手順を複数組記憶すると共に、各演算処理手順に応じた係数を記憶する記憶手段と、前記選定手段の選定結果に基づいて記憶手段からそのモード特性に応じた演算処理手順及び係数を演算手段に送り且つ前記切替手段に振り分け信号を送出する制御手段とを有しており、前記記憶手段に記憶される演算処理手順及び係数中に、前記フィルタ処理の演算処理手順の他にステレオ拡大処理手順及びその係数を含むと共に、モノラルの入力信号に対して、前記演算手段は、与えられた上記演算処理手順及び係数に基づき、予め測定された頭部伝達関数部の周波数特性及び位相特性を模擬したＨＲＴＦフィルタ処理及び該頭部伝達関数部と同時に測定された反射成分の周波数特性及び位相特性を模擬したＲＥＦフィルタ処理を左右それぞれに対して行うことを特徴とする音像制御装置。
【請求項２】
請求項１記載の音像制御装置において、入力する楽音信号として、楽音発生手段から発生された楽音信号を用いることを特徴とする請求項１記載の音像制御装置。
【請求項３】
請求項１又は２記載の音像制御装置において、前記音響変換手段として開放型音響システム用のものと非開放型音響システム用のものとが用いられる場合に、操作者によるこれらの音響システム用の音響変換手段の選定結果を検出する検知手段が、前記選定手段として用いられることを特徴とする請求項１又は２記載の音像制御装置。
【請求項４】
請求項１乃至３記載の音像制御装置において、前記演算手段の前後に、ＡＤ変換器及びＤＡ変換器を備えており、さらに、該ＡＤ変換器の前にＲＩＡＡ録音特性或いはそれに類似した特性のフィルタと、前記ＤＡ変換器の後にＲＩＡＡ再生特性或いはそれに類似した特性のフィルタとを有することを特徴とする請求項１乃至３記載の音像制御装置。
【発明の詳細な説明】
【０００１】
【産業上の利用分野】
本発明は、電子楽器、ゲーム機、音響機器などに使用される音像制御装置に関する。
【０００２】
【従来の技術】
電子楽器、ゲーム機、音響機器などでは、臨場感を得るなどの目的から、任意の位置に音像を定位させる構成が使用されている。
【０００３】
【発明が解決しようとする課題】
これらの機器では、ステレオスピーカシステムなどの開放型音響システム用の音像定位構成か、またはヘッドフォンなどを用いる非開放型音響システム用の音像定位構成が使用されているが、これらは専用のハード構成が用いられており、そのため、開放型音響システム用の構成にヘッドフォンなどで聞くことができる付加構成が組み込まれた場合、該ヘッドフォンで聞いた時でも、開放型音響システム用の音像定位がなされており、目的とする臨場感が得られないことになる。逆の場合もまた然りである。
【０００４】
本発明は従来技術の以上のような問題に鑑み創案されたものであり、上述のような開放型音響システム用と非開放型音響システム用などのようにモード特性がそれぞれ異なる少なくとも２組の音響変換手段が同一の構成に用いられた場合に、モード切替時（その音響変換手段の切替使用時）にも臨場感を損なわないようにできる音像制御装置を提供せんとするものである。
【０００５】
【課題を解決するための手段】
そのため本発明の音像制御装置の構成は、楽音信号を音響変換する際のモード特性がそれぞれ異なる少なくとも２組の音響変換手段と、これらの音響変換手段のモード特性に応じて楽音信号を任意の位置に定位させるための演算を行い該楽音信号を処理する演算手段と、該演算手段から出力される楽音信号をいずれかの音響変換手段に振り分ける切替手段と、いずれの音響変換手段に音響変換させるかを選定する選定手段と、モード特性毎の演算処理手順を複数組記憶すると共に、各演算処理手順に応じた係数を記憶する記憶手段と、前記選定手段の選定結果に基づいて記憶手段からそのモード特性に応じた演算処理手順及び係数を演算手段に送り且つ前記切替手段に振り分け信号を送出する制御手段とを有しており、前記記憶手段に記憶される演算処理手順及び係数中に、前記フィルタ処理の演算処理手順の他にステレオ拡大処理手順及びその係数を含むと共に、モノラルの入力信号に対して、前記演算手段は、与えられた上記演算処理手順及び係数に基づき、予め測定された頭部伝達関数部の周波数特性及び位相特性を模擬したＨＲＴＦフィルタ処理及び該頭部伝達関数部と同時に測定された反射成分の周波数特性及び位相特性を模擬したＲＥＦフィルタ処理を左右それぞれに対して行うことを基本的特徴としている。
【０００６】
もちろん処理対象となる楽音信号としては、入力されてくるデジタル信号（アナログ信号をＡＤ変換して得られるものを含む）の他、電子楽器やゲーム機などに組み込まれるなどして楽音発生手段から発生された楽音信号を用いても良い。
【０００７】
一般に音源は１つの音色に対してＬ、Ｒの２つの読み出し波形の記憶を行ったり、Ｌ、Ｒの２つの楽音の合成をしなければならないが、そのために波形ＲＯＭなどの記憶手段の必要記憶容量が増大したり、１つの音色について２つの楽音を合成するために同時発音数が減少してしまうという問題があった。本発明の構成では、これらの問題を解決するため、１つの音色を表す入力信号（モノラルの入力信号）に対して、前記演算手段は、与えられた上記演算処理手順及び係数に基づき、予め測定された頭部伝達関数部の周波数特性及び位相特性を模擬したＨＲＴＦフィルタ処理及び該頭部伝達関数部と同時に測定された反射成分の周波数特性及び位相特性を模擬したＲＥＦフィルタ処理を左右それぞれに対して行う構成とした。このような構成により、１つの音色を表す楽音信号に対してＬ、Ｒの２つの楽音信号が得られるようになり、しかもその楽音信号には反射成分の模擬したものが含まれるため、音像の定位が明瞭となり、より臨場感に溢れたものとなる。
【０００８】
他方記憶手段に記憶される演算処理手順及び係数中に、前記フィルタ処理の演算処理手順の他にステレオ拡大処理手順及びその係数を含むようにすれば、Ｌ、Ｒの信号の差分を強調するかとができ、ステレオ感が拡大することになる。
【０００９】
請求項３の構成は、更に前記音響変換手段として開放型音響システム用のものと非開放型音響システム用のものとが用いられる場合に、操作者によるこれらの音響システム用の音響変換手段の選定結果を検出する検知手段が、前記選定手段として用いられることを特徴としている。具体的にはヘッドフォンを使用する場合に、該ヘッドフォンジャックの挿入口に設けられたスイッチを上記検知手段として、その抜き差しによる電気的ＯＮ・ＯＦＦの切替で、これらの音響システム用の音響変換手段の選定・非選定を検出できるようになる。このような構成にすると、操作者のスイッチ操作を全く必要とせず、ヘッドフォンジャックの脱着だけで、モード変更（他の音響システム用の音響変換手段の切替）と同時に各システムのモードに適した音像位置へ定位させることが可能となる。また上記スイッチ操作時には必要とされるモード変更状態をいちいち表示させる必要性もなくなる。
さらに、前記演算手段の前後に、ＡＤ変換器及びＤＡ変換器が備えられている場合に、さらに、該ＡＤ変換器の前にＲＩＡＡ録音特性或いはそれに類似した特性のフィルタと、前記ＤＡ変換器の後にＲＩＡＡ再生特性或いはそれに類似した特性のフィルタとを有するようにすると良い（請求項４）。これは、後述するように、ＡＤ変換−信号処理−ＤＡ変換を行った際、各変換器から発生するホワイトノイズを低減させ、高域の演算手段の演算精度を高めて高音質が得られるようにするためである。
【００１０】
【作用】
前記制御手段は、選定手段の選定結果（検出結果）に基づいて、前記切替手段に振り分け信号を送出すると共に、記憶手段から演算手段にそのモード特性に応じた演算処理手順及び係数を送るため、モード変更（音響変換手段の切替）と同時に各音響変換手段に適した位置へ音像を定位させることができるようになる。
【００１１】
【発明の実施の形態】
以下本発明の実施の形態につき説明する。
図１は請求項３の構成に係る音像制御装置が適用された音響機器の一実施形態構成を示す回路図である。図中１及び２は音響変換手段であり、そのうち１はステレオスピーカシステムを用いた開放型音響システム用の第１信号出力手段であり、２はヘッドフォンを用いる非開放型音響システム用の第２信号出力手段である。また３は演算手段、４は切替手段、５は検知手段、６は記憶手段、７は制御手段を各示している。なお、出力信号は実際にはＬとＲがあるが、簡単のため、図面上では１本にまとめた状態で示してある。また本構成では音響機器として説明を行っているが、基本的構成が同じなので、本構成のうちに電子楽器としての構成を含めて一緒に説明を行う。その場合に、入力信号は、鍵盤（図示なし）などにより指定された１の音色に基づき、楽音発生手段（図示なし）より発生せしめられた楽音信号を用いることになる。
【００１２】
音響変換手段を構成する第１信号出力手段１及び第２信号出力手段２は共通のＤＡ変換器１１を有しており、そしてこれらはそれぞれＯＰアンプ、トランジスタなどの能動素子及び抵抗などの受動素子で構成されている。更に第１信号出力手段１はステレオスピーカシステム接続用のピンジャック或いは標準ジャック（図示なし）を備えており、また第２信号出力手段２は後述する検知手段５を構成するスイッチ５０付きのヘッドフォンジャック用挿入口２０を備えている。またこれらとは別に、（これらのアナログ信号用の変換特性とは異なる）デジタル用の信号出力手段を備えていても良い。
【００１３】
演算手段３は、デジタルシグナルプロセッサ（ＤＳＰ）で構成されているが、その演算の一部をアナログフィルタなどで補っても良い。そしてアナログ信号をＡＤ変換して或いは直接デジタルで入力されてくるデジタル信号（又は楽音発生手段から発生せしめられたデジタル信号）を入力し、任意の位置へ音像を定位させるための演算を行って入力信号を処理し、出力する。その場合、後述する制御手段７が、ステレオスピーカシステムを用いた開放型音響システム用（スピーカモード用）或いはヘッドフォンを用いる非開放型音響システム用（ヘッドフォンモード用）の音響変換手段のモード特性に適する演算処理手順及び係数（本構成では後述するように、両モードとも音像の定位位置がリスナーの正面３０°とし設定されているため、プリセットされた演算処理手順及び係数がそれぞれのモードで用意されており、その演算処理手順及び係数）をこの演算手段３に送出するため、該演算手段３はこれに基づき入力信号に対し任意の位置に音像を定位させるための演算処理を行う。なお、本構成では、プリセットされていた演算処理手順及び係数に基づき演算処理を行っているが、ジョイステックなどの三次元空間の位置を特定できる指示手段を使って操作者の指示により音像の定位位置を指定する場合は、それによって選択される演算処理手順及び係数に基づき演算処理を行わせることも可能である。
【００１４】
切替手段４は、上記演算手段３から出力される楽音信号を第１信号出力手段１又は第２信号出力手段２に振り分ける構成であり、マルチプレクサ、トランジスタ、ＦＥＴ、リレーなど、任意の構成が用いられている。この切替処理は、後述する制御手段７の振り分け信号に基づき、その指示に従ってなされる。
【００１５】
検知手段５は、請求項１の選定手段の構成に相当していて、前記ヘッドフォンジャック用挿入口２０のスイッチ５０からなり、該ヘッドフォンジャックの抜き差しによる電気的ＯＮ・ＯＦＦの切替で、ヘッドフォンを用いる非開放型音響システム用の音響変換手段を選定したか（ヘッドホンモード）、或いはステレオスピーカシステムを用いた開放型音響システム用の音響変換手段を選定したか（スピーカモード）を検出できるようになる。その検知（選定）結果は後述する制御手段７のＩ／Ｏポート７１に出力される。
【００１６】
記憶手段６は、後述する制御手段７のＣＰＵ７０の制御プログラムを記憶するＲＯＭ６０と、該ＣＰＵ７０の演算処理時の作業用記憶領域として必要なＲＡＭ６１とを有しており、更にこれらのＲＯＭ６０及び／又はＲＡＭ６１には、演算手段３の演算処理に必要な複数組の演算処理手順（プログラム）及び各演算処理手順に応じた係数を記憶したテーブル（スピーカモード用の音響変換手段のモード特性に適する演算処理手順・係数を記憶したテーブルとヘッドフォンモード用の音響変換手段のモード特性に適する演算処理手順・係数を記憶したテーブル）が格納されている。更に該ＲＡＭ６１に格納されるこれらの演算処理手順及び係数は、図示しない外部機器（フレキシブル磁気ディスク、ハードディスク、ＣＤ−ＲＯＭなどの外部記憶手段や他のコンピュータ）から前記Ｉ／Ｏポート７１を介して転送されることになる。この場合これらの外部機器に対応したインターフェースを備えていなければならない。
【００１７】
制御手段７は、演算手段３の演算処理を制御し、且つ切替手段４に振り分け信号を送出する構成であって、これらの制御を行うＣＰＵ７０と、前記検知手段５の検知結果の入力及びその他の機器への入出力用に必要なＩ／Ｏポート７１とを有している。なお、制御手段７の構成は前記ＣＰＵ７０などの他に、ゲートアレイやランダムロジックなどで構成しても良い。
【００１８】
本音響機器に用いられた音像制御装置では、１つの入力信号（楽音発生信号から楽音信号が発せられる場合は該楽音信号）に対し、演算手段３によって受聴者の左右の耳に対応した楽音信号を得るため、２つの音像制御信号を得るものである。その際、１の入力信号に対して、該演算手段３は、与えられた上記演算処理手順及び係数に基づき、予め測定された頭部伝達関数部の周波数特性及び位相特性を模擬したＨＲＴＦフィルタ処理及び該頭部伝達関数部と同時に測定された反射成分の周波数特性及び位相特性を模擬したＲＥＦフィルタ処理を左右それぞれに対して行う構成とすることで、１つの音色を表す楽音信号に対してＬ、Ｒの２つの楽音信号が得られることになる。しかもその楽音信号には反射成分の模擬したものが含まれるため、音像の定位が明瞭となり、より臨場感に溢れたものとなる。
【００１９】
上記演算手段３のフィルタ処理は、図２（ａ）（ｂ）に示される測定した左右の耳におけるそれぞれのインパルス応答の例を模擬しており、該処理によって疑似ステレオ効果を得ている。この例ではインパルスの発音源は頭部の正面より左に位置している。本演算手段３では、測定されたインパルス応答の時間ＴＬＨの部分（頭部伝達関数部）の周波数特性及び位相特性を模擬したＩＩＲフィルタを、左耳用ＨＲＴＦフィルタとして用い、また測定されたインパルス応答の時間ＴＲＨの部分（頭部伝達関数部）の周波数特性及び位相特性を模擬したＩＩＲフィルタを、右耳用ＨＲＴＦフィルタとして用いている。更に実際のインパルス応答では、この他に反響音がありその分も再現しなければならない。そのため測定されたインパルス応答の時間ＴＬＲ（左耳用）・ＴＲＲ（右耳用）の部分（反射部）の周波数特性及び位相特性を模擬したＩＩＲフィルタを、左右の各ＲＥＦフィルタとして用いている。そしてこれらのフィルタ処理は演算手段３を構成するＤＳＰで実施される。またＨＲＴＦフィルタは、１点の定位位置に対して右耳用及び左耳用それぞれ別個のフィルタが必要であり、また本構成では、図３（同図は演算手段３の処理フローの概略を示している）に示されるように、異なる２点（位置ａ及び位置ｂ）で音像を定位させるために、計４つのＨＲＴＦフィルタが必要である。同様にＲＥＦフィルタも４つ必要である。
【００２０】
図４は前記図３の処理フロー中、位置ａへ音像を定位させるための実際の処理回路構成を示しており、複数の遅延タップ出力を有する１の遅延器３０を用いると共に、これに左耳用及び右耳用の各ＨＲＴＦフィルタ３１ａ、３１ｂとＲＥＦフィルタ３２ａ、３２ｂを組み合わせ、更に増幅器（図面上ＧＬ0〜ＧＬn、ＧＲ0〜ＧＲnで示されるピークポイントの振幅から計算した係数を乗算している部分）と加算器３３ａ〜３３ｄを用いた構成で実現している。同図のＴＬ1〜ＴＬn及びＴＲ1〜ＴＲnは、図２に示された各時間に対応し、ＴＬ0〜ＴＬnは左耳用処理の遅延タップ出力、ＴＲ0〜ＴＲnは、右耳用処理の遅延タップ出力である。そしてＴＬ0及びＴＲ0は０を基準点とし、ＴＬ1、ＴＬ2、ＴＬn、ＴＲ1、ＴＲ2、ＴＲnは、頭部伝達関数部のピークから反射部の比較的振幅の高いピークまでの時間である。またＴＲ0−ＴＬ0は、両耳時間差である。この遅延器３０はＲＡＭ遅延器で構成することができ、各出力部ＴＬ0〜ＴＬn及びＴＲ0〜ＴＲnからは、入力信号をそれぞれ所定時間だけ遅延させた信号が出力されるようになっている。なお、上記のフィルタ処理に用いられる係数、タップ間の時間情報及び振幅の係数は、記憶手段６中に記憶されている。
【００２１】
また本実施形態では、スピーカモードの場合に、図３に示すように、演算手段３によって、ステレオ拡大処理が行われている。即ち記憶手段６に記憶された演算処理手順及び係数中にステレオ拡大処理手順及びその係数が含まれており、上記スピーカモード時に、ＤＳＰに読み込まれて、該処理が実施されることになる。この構成では、図５に示すように、入力されたＬ、Ｒの差信号ＳＤを演算部３４で求め、その低域成分ＳＦを一次ローパスフィルタ３５で取り出すと共に、演算部３６でもとのＬ信号に加算し、また演算部３７でＲ信号から減算することによって、ＬＲの信号の差分を強調させ、それによってステレオ感を拡大させている。この構成では、一次ローパスフィルタ３５から取り出される信号ＳＦを遅延器３８で遅延させているが、これはスピーカから耳までの音の到達時間を補正するためである。
【００２２】
図６のフローチャートに基づき上記実施形態構成の動作説明を行う。本装置に電源が入ると、前記記憶手段６のＲＯＭ６０に格納されたプログラムがＣＰＵ７０に読み込まれて該プログラムがスタートする。すると、ＣＰＵ７０はＩ／Ｏポート７１を介して、ヘッドフォンジャック用挿入口２０のスイッチ５０がＯＮであるかＯＦＦであるかをチェックする（Ｓ１）。ここで該スイッチ５０がＯＮであればヘッドフォンジャックが装着された状態であり、ＯＦＦであればこれが外された状態であると判定される。
【００２３】
ヘッドフォンジャック用挿入口２０のスイッチ５０がＯＮであれば、ＣＰＵ７０は、ヘッドフォンモード用の演算処理手順（音像定位処理のみ）を前記演算手段３のＤＳＰへロードすると共に、プリセットされている音像の定位位置（３０°）へ音像を定位させることを目的として、リスナーの正面３０°へ定位させるための係数及び−３０°へ定位させるための係数を転送する。それと共に、切替手段４に対し第２出力手段２への振り分け信号を出力する（Ｓ２）。従って入力されてくるデジタル信号（アナログ信号の場合はＡＤ変換して得られたデジタル信号）は演算手段３へ送られ、該信号に対しＤＳＰによりヘッドフォンモード用の演算処理がなされて、第２出力手段２に出力され、３０°と−３０°の各位置へ音像が定位された状態で、ヘッドフォンから出力される。
【００２４】
また前記スイッチ５０がＯＦＦであれば、ＣＰＵ７０は、スピーカモード用の演算処理手順（音像定位処理及びステレオ拡大処理）を前記演算手段３のＤＳＰへロードすると共に、プリセットされている音像の定位位置（３０°）へ音像を定位させることを目的として、リスナーの正面３０°へ定位させるための係数及び−３０°へ定位させるための係数を転送する。それと共に、切替手段４に対し第１出力手段１への振り分け信号を出力する（Ｓ３）。従って入力されてくるデジタル信号は演算手段３へ送られ、該信号に対しＤＳＰによりスピーカモード用の演算処理がなされて、第１出力手段１に出力され、３０°と−３０°の各位置へ音像が定位された状態で、スピーカから出力される。なお、前記スイッチ５０によるモード切替時において転送される演算処理手順及び係数は、その一部のみを変更するようにしても良い。そうすることによって転送スピードが格段に速くなる。
【００２５】
次にＩ／Ｏポート７１を介して、ＣＰＵ７０は、再びヘッドフォンジャック用挿入口２０のスイッチ５０がＯＮであるかＯＦＦであるかをチェックする（Ｓ４）。該スイッチ５０の状態に変化があった場合、ＣＰＵ７０はスイッチ５０がＯＮの状態であれば、ヘッドフォンモード用の演算処理手順とその処理に使用される係数を前記演算手段３のＤＳＰへ転送すると共に、切替手段４に対し第２出力手段２への振り分け信号を出力する。他方前記スイッチ５０がＯＦＦの状態であれば、スピーカモード用の演算処理手順とその処理に使用される係数を該ＤＳＰへ転送すると共に、切替手段４に対し第１出力手段１への振り分け信号を出力する。
【００２６】
このように、モード変更時にそれぞれのモード特性に適した演算処理手順と係数を送って入力信号の演算処理を行うため、スピーカモードでもヘッドフォンモードでも音像の十分な定位感を得ることができようになる。また上記のようにヘッドフォンジャックの抜き差しを検知することによって、切替手段５によるモード変更と演算手段３における演算処理の変更を、制御手段７が自動的に行わしめるため、操作者は特別なスイッチ操作をしなくても、スピーカモード用とヘッドフォンモード用のモード変更ができると同時に、各モード用に適した位置へ音像を定位させることができるようになる。更に上記スイッチ操作時には必要とされるモード変更状態をいちいち表示させる必要性もなくなる。
【００２７】
しかも本構成では、１の信号を入力するだけで自然な感じで心地のよい擬似的なステレオ効果が得られることになる。また該信号を楽音発生手段によって発生させて入力信号として用いることもできるが、そのような構成の場合に、１の楽音信号を入力するだけで自然な感じのステレオ効果が得られるため、Ｌ、Ｒそれぞれに対応する読み出し波形を記憶させる必要がなくなったり、１つの音色について２つの楽音を合成する必要がなくなって、同時発音数が減少することもない。
【００２８】
本構成では、音像定位位置を３０°の位置にプリセットされていたが、この定位位置は別に指示手段を設けて、それによって任意の位置に設定することも可能である。この場合変更する角度に応じた係数を記憶する必要がある。またその指示手段中にエフェクトデプスダイアルを備え、その変化量に応じて原音と演算後の音のミックスバランスを変えて出力できる機能を持っていても良い。もちろん原音とのミックスをアナログ上で行ってもデジタル上で行っても構わない。
【００２９】
さらに上記実施形態構成に、次のような構成を付加することもできる。前記図１の演算手段３の前後にＡＤ変換器１０及びＤＡ変換器１１を備えている場合に、図７に示すように、ＡＤ変換器１０の前段にハイパスフィルタ１２を、またＤＡ変換器１１の後段にローパスフィルタ１３を各備える構成である。このような構成によって、ＡＤ変換−信号処理−ＤＡ変換を行った際各変換器１０及び１１から発生するホワイトノイズを低減させ、高域のＤＳＰの演算精度を高めて高音質が得られるようになる。即ち上記ハイパスフィルタ１２はＲＩＡＡ録音特性、又はそれに類似する特性のフィルタを用い、またローパスフィルタ１３にはＲＩＡＡ再生特性、又はそれに類似する特性のフィルタを用いることで、入力されてくるアナログ信号に対し、ＲＩＡＡ録音特性にて予め高域を持ち上げ低域を下げ、信号処理後にＲＩＡＡ再生特性にて高域を下げ低域を持ち上げるようにし、それによって聴感上雑音として聞こえやすい１ＫＨｚ以上の周波数に対して最大２０ｄＢの雑音を除去できる。本来ＲＩＡＡ録音特性は楽音信号を周波数軸上にてなるべく均一になるように考えられた特性であるため、一般的に基本波（低域）に依存している波形の振幅が、ＲＩＡＡ録音特性により基本波は圧縮され高調波は伸張することにより、スペクトラムが均一化され、その結果、高域特性の演算精度が向上し、音質面で非常に有利となる。
【００３０】
上記ハイパスフィルタ１２は、図８に示すような回路構成とし、またローパスフィルタ１３は、図９に示すような回路構成とする（時定数Ｔ1＝４８４０μｓ、時定数Ｔ2＝３９６μｓ、時定数Ｔ3＝８４.６μｓとし１ＫＨｚでおおよそ０ｄＢに合わせて設計した）ことにより、聴感上ではピアニッシモで気になった雑音がほとんど聞こえないほどの雑音となった。
【００３１】
更に本音響機器では、図１０のブロック図に示すように、前記制御手段７のＣＰＵ７０を使用して、上記音響機器の電源スイッチＯＮ・ＯＦＦを行うことにより、電源の完全な遮断が可能な構成を、別途付加して用いることもできる。該構成では、電源ＯＦＦの状態からプッシュスイッチ７２を押すと、電源開閉器７３が閉じる。それによりＣＰＵ７０が稼働し、該ＣＰＵ７０Ｆが電源開閉器７３を閉じるように信号（電源ＯＮ信号）を出し続ける。他方電源ＯＮの状態からプッシュスイッチ７２を押すと、電圧減算器７４に入力される電圧が、ＣＰＵ７０の電圧（例えば５Ｖ）から電源電圧（例えば１２Ｖ）に上昇する。電源電圧に上昇すると、電圧減算器７４の出力電圧は０ＶからＣＰＵ７０の電圧（例えば５Ｖ）に上昇する。その変化を電源ＯＦＦ信号とし、ＣＰＵ７０は電源を切る。
【００３２】
図１１は、上記構成のＣＰＵ７０における制御フローを示している。まずプッシュスイッチ７２をＯＮにすると、プログラムがスタートし、電源制御信号をアクティブにする（Ｓ５、電源ＯＮ信号出力）。そして電源関連以外の処理ルーチンを行う（Ｓ６）。その後ＣＰＵ７０は電源ＯＮ信号イベント検出を行い（Ｓ７）、Ｓ８で、電源ＯＮ信号のイベントがないと判断した場合は、Ｓ５に戻り、該イベントがあると判断した場合は、次に電源ＯＮ信号がアクティブになっているか判断する（Ｓ９）。該信号がアクティブになっている場合は、ＰｏｗｅｒＯＦＦフラグをセット（Ｓ１０）し、Ｓ５に戻る。他方上記信号がアクティブになっていなければ、ＰｏｗｅｒＯＦＦフラグがセットされているかを判断し（Ｓ１１）、されていなければＳ５に戻る。該フラグがセットされていれば、電源制御信号を非アクティブにし（Ｓ１２、電源をＯＦＦにする）、処理を終了する。
【００３３】
なお、図１０の回路ブロック図構成の実際の装置構成は、図１２に示された構成で実現できる。
【００３４】
【発明の効果】
以上詳述した本発明の構成によれば、モード変更時にそれぞれのモード特性に適した演算処理手順と係数を送って入力信号の演算処理を行うため、どのモードでも十分な定位感を得ることができようになる。すなわち、演算手段が、与えられた上記演算処理手順及び係数に基づき、ＨＲＴＦフィルタ処理及びＲＥＦフィルタ処理を左右それぞれに対して行っているため、１の信号を入力するだけで自然な感じで心地のよい擬似的なステレオ効果が得られることになる。また電子楽器などでは、楽音信号を楽音発生手段によって発生させて入力信号として用いることもできるが、そのような構成の場合に、１の楽音信号を入力するだけで自然な感じのステレオ効果が得られるため、Ｌ、Ｒそれぞれに対応する読み出し波形を記憶させる必要がなくなったり、１つの音色について２つの楽音を合成する必要がなくなって、同時発音数が減少してしまうこともない。
さらに請求項３に記載したように検知手段による検知によって、モード変更と該モード特性に適した演算処理の変更を、自動的に行わせることができるため、操作者は特別なスイッチ操作をしなくても、モード変更ができると同時に、各モード用に適した音像位置へ定位させることが可能となる。加えて上記スイッチ操作時には必要とされるモード変更状態をいちいち表示させる必要性がなくなる。
【図面の簡単な説明】
【図１】  請求項３の発明に係る音像制御装置の一実施形態構成を示す回路図である。
【図２】  測定した左右の耳におけるそれぞれのインパルス応答の例を示す波形図である。
【図３】  演算手段の処理フローの概略図である。
【図４】  位置ａへの音像定位の処理構成の実際の回路構成を示す回路図である。
【図５】  スピーカモードの場合に実施されるステレオ拡大処理の処理フローの概略図である。
【図６】  本実施形態構成の動作を説明するフローチャートである。
【図７】  ＡＤ変換−信号処理−ＤＡ変換を行った際各変換器から発生するホワイトノイズを低減させる構成の処理フローを示す概略図である。
【図８】  上記構成におけるハイパスフィルタの回路構成を示す回路図である。
【図９】  同じく上記構成におけるローパスフィルタの回路構成を示す回路図である。
【図１０】  ＣＰＵを使用して音響機器の電源スイッチＯＮ・ＯＦＦを行うことにより、電源の完全な遮断が可能な構成が付加された構成を示すブロック図である。
【図１１】  上記構成のＣＰＵにおける制御フローを示すフローチャートである。
【図１２】  上記構成の実際の回路構成を示す回路図である。
【符号の説明】
１、２        出力手段
３            演算手段
４            切替手段
５            検知手段
６            記憶手段
７            制御手段
２０            ヘッドフォンジャック用挿入口
５０            スイッチ
６０            ＲＯＭ
６１            ＲＡＭ
７０            ＣＰＵ
【図１】
0003737215.tif 000002
【図２】
0003737215.tif 000003
【図３】
0003737215.tif 000004
【図４】
0003737215.tif 000005
【図５】
0003737215.tif 000006
【図６】
0003737215.tif 000007
【図７】
0003737215.tif 000008
【図８】
0003737215.tif 000009
【図９】
0003737215.tif 000010
【図１０】
0003737215.tif 000011
【図１１】
0003737215.tif 000012
【図１２】
0003737215.tif 000013